(57)【要約】【課題】音響機器の電源コードに取付けられたノイズ除去フィルタを安定的かつ確実に保持し、ノイズ除去フィルタがふらつかないようにする。【解決手段】モールドシャーシ１０の外側部に保持壁１６を形成するとともに、この保持壁１６に矩形の開口１７を形成する。そして矩形の開口１７が形成された保持壁１６の前面側に受けリブ１８を設けるようにする。そして電源コード３０に取付けられたノイズ除去フィルタ３３を上記受けリブ１８上に受けるようにし、しかもその外周側の背面側の一部を保持壁１６の矩形の開口１７内に侵入させる。そしてこのノイズ除去フィルタ３３の両端から引出された電源コード３０を、受けリブ１８の両側に位置する受け部材２４に押さえるように弾性片２２によって押圧するとともに、電源コード３０の上端を係止爪２３によって離脱しないように係止する。【選択図】図７
2008177272.tif 000002
【特許請求の範囲】
【請求項１】
両端からそれぞれフレキシブルなリードが引出された部品と、
開放部と、該開放部を通して挿入される部品を収納保持する保持部と、前記リードを係止する係止爪を先端に備えた弾性片とを設けたシャーシと、
を具備し、前記弾性片によって前記開放部の方向とは異なる方向に前記リードを偏倚させて前記部品を前記保持部に保持させるようにしたことを特徴とする部品取付け装置。
【請求項２】
前記部品が筒状の磁性材料から成るノイズ除去フィルタであることを特徴とする請求項１に記載の部品取付け装置。
【請求項３】
前記リードが電源コードであることを特徴とする請求項１に記載の部品取付け装置。
【請求項４】
前記シャーシが前記保持部と前記係止爪とを一体に備えるモールドシャーシであることを特徴とする請求項１に記載の部品取付け装置。
【請求項５】
前記モールドシャーシが保持壁を一体に備えるとともに、該保持壁に形成された開口によって前記部品の一部を受入れることを特徴とする請求項４に記載の部品取付け装置。
【請求項６】
前記モールドシャーシの保持壁の開口の内側に受けリブが形成され、該受けリブによって前記部品の底部が受けられるようになっており、該受けリブの上部が前記保持部を構成することを特徴とする請求項５に記載の部品取付け装置。
【請求項７】
キャビネット内にモールドシャーシを組込むとともに、該モールドシャーシに回路基板を取付けるようにし、前記回路基板の電源回路に電源コードを接続するようにした電子機器において、
前記電源コードに筒状の磁性材料から成るノイズ除去フィルタが取付けられ、該ノイズ除去フィルタが前記モールドシャーシの保持部によって保持されることを特徴とする電子機器。
【請求項８】
オーディオ機器であることを特徴とする請求項７に記載の電子機器。
【請求項９】
前記保持部が前記ノイズ除去フィルタの底部を受ける受けリブと、前記ノイズ除去フィルタの外側部を受ける保持壁の開口とを備えることを特徴とする請求項７に記載の電子機器。
【請求項１０】
前記ノイズ除去フィルタの両端から電源コードが引出され、該電源コードが受け部材に対して押付けられるようにして係止爪で係止されることを特徴とする請求項９に記載の電子機器。
【請求項１１】
前記ノイズ除去フィルタの中心に対して半径方向に電源コードを屈曲させて前記係止爪で係止することを特徴とする請求項１０に記載の電子機器。
【請求項１２】
前記ノイズ除去フィルタを保持する保持部の両端にそれぞれ係止爪が設けられるとともに、両側の係止爪の前記ノイズ除去フィルタの端面からの距離が互いに異なっていることを特徴とする請求項１０に記載の電子機器。
【発明の詳細な説明】
【技術分野】
【０００１】
本発明は部品取付け装置およびこのような部品取付け装置を備える電子機器に係り、とくにシャーシによって部品を取付けるようにした部品取付け装置と、このような部品取付け装置を備える電子機器に関する。
【背景技術】
【０００２】
例えば実公平２−３４８７５号公報や、実開平５−４４２２号公報に開示されているように、筒状をなすフェライトコアを用いたノイズ除去フィルタが従来より知られている。この種のフィルタにおいては、例えば電源コードの外周囲に筒状のフェライトを外嵌させ、ノイズ除去フィルタを構成するフェライトによって電源コードを流れる雑音電流を吸収するようにしたものであって、電源コードの周囲を磁性体から成るフェライトにより包囲することによって、電源線を流れる雑音電流がこのノイズ除去フィルタのフェライトコアによって吸収され、雑音の発生が防止されるようにしたものである。
【０００３】
このようなノイズ除去フィルタのフェライトコアは、電源コードに取付ける都合上、円周方向に２分割し、１８０度ずつの半筒状のフェライトコアを互いに接合して組立てるようにしている。そしてこのような半筒状のフェライトコアを筒状に組立てるために、一対の半筒状のケースをヒンジ部を介して互いに回動可能に連結するようにしている。ところが従来のこの種のノイズ除去フィルタは、電源コードを中に貫通させるように取付けた状態で、そのまま用いられていた。従ってとくにフェライトコアの部分がふらつき易く、不安定になる欠点があった。そこで例えば固定用ワイヤ等によってシャーシあるいはキャビネットに固定する等の方法が採用されていた。このような固定方法は、固定が不確実であるばかりか、手作業でノイズ除去フィルタを所定の部位に固定するために、組立て性に劣るとともに、組立て位置にばらつきを生ずる等の不具合があった。またこのような固定方法は、必ずしもノイズ除去フィルタを安定的に保持することができない欠点がある。
【特許文献１】実公平２−３４８７５号公報
【特許文献２】実開平５−４４２２号公報
【発明の開示】
【発明が解決しようとする課題】
【０００４】
本願発明の課題は、部品を確実に所定の部位に保持できるようにした部品取付け装置およびこのような部品取付け装置を備える電子機器を提供することである。
【０００５】
本願発明の別の課題は、電源コードに取付けられるノイズ除去フィルタが確実に所定の部位に固定されるようにした部品取付け装置と、このような部品取付け装置を備える電子機器を提供することである。
【０００６】
本願発明のさらに別の課題は、部品を確実に、しかも必要に応じて自動的に組込んで取付けるようにした部品取付け装置と、このような部品取付け装置を備える電子機器を提供することである。
【０００７】
本願発明の上記の課題および別の課題は、以下に述べる本願発明の技術的思想およびその実施の形態によって明らかにされる。
【課題を解決するための手段】
【０００８】
本願の主要な発明は、両端からそれぞれフレキシブルなリードが引出された部品と、
開放部と、該開放部を通して挿入される部品を収納保持する保持部と、前記リードを係止する係止爪を先端に備えた弾性片とを設けたシャーシと、
を具備し、前記弾性片によって前記開放部の方向とは異なる方向に前記リードを偏倚させて前記部品を前記保持部に保持させるようにしたことを特徴とする部品取付け装置に関するものである。
【０００９】
ここで、前記部品が筒状の磁性材料から成るノイズ除去フィルタであってよい。また前記リードが電源コードであってよい。また前記シャーシが前記保持部と前記係止爪とを一体に備えるモールドシャーシであってよい。また記モールドシャーシが保持壁を一体に備えるとともに、該保持壁に形成された開口によって前記部品の一部を受入れてよい。また前記モールドシャーシの保持壁の開口の内側に受けリブが形成され、該受けリブによって前記部品の底部が受けられるようになっており、該受けリブの上部が前記保持部を構成してよい。
【００１０】
本願の別の主要な発明は、キャビネット内にモールドシャーシを組込むとともに、該モールドシャーシに回路基板を取付けるようにし、前記回路基板の電源回路に電源コードを接続するようにした電子機器において、
前記電源コードに筒状の磁性材料から成るノイズ除去フィルタが取付けられ、該ノイズ除去フィルタが前記モールドシャーシの保持部によって保持されることを特徴とする電子機器に関するものである。
【００１１】
ここで、この電子機器がオーディオ機器であってよい。また前記保持部が前記ノイズ除去フィルタの底部を受ける受けリブと、前記ノイズ除去フィルタの外側部を受ける保持壁の開口とを備えてよい。また前記ノイズ除去フィルタの両端から電源コードが引出され、該電源コードが受け部材に対して押付けられるようにして係止爪で係止されてよい。また前記ノイズ除去フィルタの中心に対して半径方向に電源コードを屈曲させて前記係止爪で係止してよい。また前記ノイズ除去フィルタを保持する保持部の両端にそれぞれ係止爪が設けられるとともに、両側の係止爪の前記ノイズ除去フィルタの端面からの距離が互いに異なっていることが好適である。
【発明の効果】
【００１２】
本願の主要な発明は、両端からそれぞれフレキシブルなリードが引出された部品と、開放部と、該開放部を通して挿入される部品を収納保持する保持部と、リードを係止する係止爪を先端に備えた弾性片とを設けたシャーシと、を具備し、弾性片によって開放部の方向とは異なる方向にリードを偏倚させて部品を保持部に保持させるようにしたものである。
【００１３】
従ってこのような部品取付け装置によると、開放部から保持部に向けて部品を挿入するとともに、この部品の両側に引出されたリードを弾性片の先端側の係止爪によって係止することによって、部品が保持部に安定的に保持されるようになる。
【００１４】
本願の別の主要な発明は、キャビネット内にモールドシャーシを組込むとともに、該モールドシャーシに回路基板を取付けるようにし、回路基板の電源回路に電源コードを接続するようにした電子機器において、電源コードに筒状の磁性材料から成るノイズ除去フィルタが取付けられ、該ノイズ除去フィルタがモールドシャーシの保持部によって保持されるようにしたものである。
【００１５】
従ってこのような電子機器によると、電源コードに取付けられている磁性材料から成るノイズ除去フィルタは、モールドシャーシの保持部によって保持されることになり、このためにノイズ除去フィルタがふらついたりその位置を変更したりすることなく安定的に保持することが可能になる。
【発明を実施するための最良の形態】
【００１６】
以下本願発明を図示の実施の形態によって説明する。図１は本実施の形態に係る部品取付け装置の全体の構成を示すものであって、この部品取付け装置はモールドシャーシ１０を備えている。すなわち電子機器のキャビネットに組込まれる、例えばＡＢＳ樹脂によって一体成形されたモールドシャーシ１０が用いられるようになっている。このモールドシャーシ１０はその三方が側壁１１によって囲まれるとともに、底部が底板１２によって構成される。底板１２には下方に延出された取付け脚１３が延出されるようになっており、このような取付け脚１３によって、モールドシャーシ１０はキャビネットの所定の位置に取付けられるようになっている。
【００１７】
上記モールドシャーシ１０の側壁１１が形成されていない側面には、図２および図３に示すように、矩形の保持壁１６が形成されている。なお保持壁１６は、対向する側壁１１よりも一回り小さな大きさになっている。そしてこの保持壁１６には横長の矩形の開口１７が形成されている。また上記矩形の開口１７を備える保持壁１６の内側であって底板１２上には一対の受けリブ１８が互いに平行に立設される。なお受けリブ１８の終端はこの受けリブ１８と直交する補強リブ１９によって補強されるようになっている。
【００１８】
上記保持壁１６の内側であって受けリブ１８の両側にはそれぞれ弾性片２２が底板１２上に立設されている。そして弾性片２２はその上端にそれぞれ係止爪２３を備えるようになっている。そしてこのような係止爪２３と対向するように、底板１２上には受け部材２４が立設される。受け部材２４には、その根元側であって両側の部分にそれぞれリブ２５が一体に形成されるようになっている。
【００１９】
上記保持壁１６の内側であって受けリブ１８が保持部を形成しており、この保持部の部分には、電源コード３０に取付けられたノイズ除去フィルタ３３が保持されるようになっている。なお電源コード３０は、先端側の部分にプラグ３１を接続している。またこの電源コード３０の他端は、モールドシャーシ１０に取付けられる回路基板上の電源回路に接続され、商用電源を供給するようになっている。
【００２０】
次に電源コード３０に取付けられ、この電源コード３０を流れる雑音電流を吸収するノイズ除去フィルタ３３について、図４〜図６によって説明する。ノイズ除去フィルタ３３は、半円筒状のケース本体３５と、同じく半円筒状の蓋体３６とを備える。これらの蓋体３５、３６は、ポリプロピレン等の合成樹脂によってヒンジ部３７を介して一体成形されており、ヒンジ部３７によって開閉されるようになっている。そしてこのようなケース本体３５と蓋体３６の軸線方向の両端の側壁には、それぞれ半円形の切込み３８が形成され、これらの切込み３８を整合して形成される円形の挿通部によって、電源コード３０が挿通されるようになっている。
【００２１】
ケース本体３５の上記ヒンジ部３７とは反対側の外周面には、一対の小さな矩形の突部３９が形成されている。そしてこのような突部３９を受入れる長方形の小さな開口を有する係止片４０が蓋体３６のヒンジ部３７とは反対側の先端部に取付けられている。そして上記ケース本体３５と蓋体３６とには、それぞれ図４および図６に示すように、半円筒状であって１８０度ずつに２分割されたフェライトコア４１、４２がそれぞれ収納されるようになっている。
【００２２】
従ってこれらのフェライトコア４１、４２をそれぞれケース本体３５および蓋体３６に収納した状態で、ケース本体３５に対して蓋体３６をヒンジ部３７のところで１８０度回動させるとともに、蓋体３６の先端側の係止片４０の開口の部分をケース本体３５の突部３９に係合させることによって、図５および図６に示すように、ケースは閉じられることになり、内側に収納されている一対のフェライトコア４１、４２の分割面が互いに接して円筒状をなすフェライトコアを形成することになる。しかも図６に示すように、上記フェライトコア４１、４２の中心側の部分であって中心孔４３を電源コード３０が挿通される。本実施の形態においては、電源コード３０はループ状にフェライトコア４１、４２の中心孔４３を挿通された後に、このノイズ除去フィルタ３３の両端から引出されるようになっている。
【００２３】
このような電源コード３０に取付けられたノイズ除去フィルタ３３は、図７および図８に示すように、モールドシャーシ１０の保持部に保持されるようになっている。すなわちモールドシャーシ１０の底板１２に一体に形成された受けリブ１８によってこのノイズ除去フィルタ３３の底部が受けられる。しかもノイズ除去フィルタ３３の背面側の外側部は保持壁１６の矩形の開口１７にその一部が侵入するようにして保持されることになる。さらにこのようなノイズ除去フィルタ３３の両端から引出された電源コード３０は、底板１２に一体に連設された受け部材２４に押当てられるように、弾性片２２の先端の係止爪２３によって係止されることになる。従って受けリブ１８の上面と保持壁１６の矩形の開口１７とによって保持されたノイズ除去フィルタ３３は、両端の電源コード３０が弾性片２２の係止爪２３に係止されるために、安定的にその保持状態を維持することになる。
【００２４】
図９はこのようなノイズ除去フィルタ３３の保持部に対する取付け動作を示しており、モールドシャーシ１０の底板１２上であって受けリブ１８の上部側の開放部から、電源コード３０に取付けられているノイズ除去フィルタ３３を斜め下方に移動させる（図９Ａ参照）。そしてこの状態で、ノイズ除去フィルタ３３を受けリブ１８の上部に載置するとともに、その外周側の背面側の一部を保持壁１６の矩形の開口１７内に、図９Ｂに示すように挿入する。なおこのときに電源コード３０は上方に屈曲させた状態にしておく。
【００２５】
このようにノイズ除去フィルタ３３を受けリブ１８上であってしかも一部を保持壁１６の矩形の開口１７に受入れた状態で、ノイズ除去フィルタ３３の両側から引出されている電源コード３０を受け部材２４によって押さえるように弾性片２２の係止爪２３によって係止する。この動作は、図９Ｂにおいて鎖線で示すように、弾性片２２を図中右方に弾性変形させて受け部材２４との間の距離を大きくし、この状態で電源コード３０を弾性片２２と受け部材２４との間に挿入する。そしてこの後に弾性片２２をその弾性復元力によって左方に移動させ、図９Ｃに示すように、先端側の係止爪２３によって係止する。なお受け部材２４は、その根元側の部分であって背面側の部分にリブ２５を備えているために、剛性が高く、ほとんど変形することがない。これに対して弾性片２２はこのようなリブを備えていないために、図９Ｂにおいて鎖線で示すように、容易に弾性変形する。従ってこのような弾性変形によって、電源コード３０を弾性片２２の係止爪２３によって係止することが可能になる。係止爪２３が電源コード３０の上端を押さえるために、このノイズ除去フィルタ３３が上方であって開放部側に離脱しなくなる。
【００２６】
このような実施の形態によるノイズ除去フィルタ３３の取付け構造によると、このノイズ除去フィルタ３３がモールドシャーシ１０の保持部に確実に保持されることになり、このためにノイズ除去フィルタ３３がその位置を変更したり、ふらついたりすることがなくなる。またノイズ除去フィルタ３３あるいは電源コード３０をワイヤ等によって、手作業で固定する作業が不要になる。図９に示すようにして斜め上方から開放部を通してノイズ除去フィルタ３３をモールドシャーシ１０の保持部に保持することができるために、自動組立ても可能になる。またノイズ除去フィルタ３３の取付け位置が一意的に決定されるために、他の部品との干渉を防止することが可能になる。
【００２７】
以上本願発明を図示の実施の形態によって説明したが、本願発明は上記実施の形態によって限定されることなく、本願発明の技術的思想の範囲内において各種の変更が可能である。例えば上記実施の形態におけるノイズ除去フィルタ３３の取付けのための保持壁１６の矩形の開口１７や受けリブ１８の形状あるいは寸法については、ノイズ除去フィルタ３３の構造や寸法に応じて適宜設計変更することができる。またモールドシャーシ１０上におけるノイズ除去フィルタ３３の保持位置についても、他の部品、例えばプリント基板やその他の部品の取付けとの関係において、適宜変更可能である。
【産業上の利用可能性】
【００２８】
本願発明は、音響機器におけるノイズ除去フィルタの取付けに利用することが可能である。
【図面の簡単な説明】
【００２９】
【図１】モールドシャーシの外観斜視図である。
【図２】同モールドシャーシの要部断面図である。
【図３】同モールドシャーシの要部平面図である。
【図４】ノイズ除去フィルタの分解斜視図である。
【図５】同ノイズ除去フィルタの組立て斜視図である。
【図６】同ノイズ除去フィルタの縦断面図である。
【図７】ノイズ除去フィルタのモールドシャーシに対する取付けを示す斜視図である。
【図８】同要部正面図である。
【図９】ノイズ除去フィルタの取付け動作を示す要部縦断面図である。
【符号の説明】
【００３０】
１０…モールドシャーシ、１１…側壁、１２…底板、１３…取付け脚、１６…保持壁、１７…矩形の開口、１８…受けリブ、１９…補強リブ、２２…弾性片、２３…係止爪、２４…受け部材、２５…リブ、３０…電源コード、３１…プラグ、３３…ノイズ除去フィルタ、３５…ケース本体、３６…蓋体、３７…ヒンジ部、３８…半円形の切込み、３９…突部、４０…係止片、４１、４２…フェライトコア、４３…中心孔
【図１】
2008177272.tif 000003
【図２】
2008177272.tif 000004
【図３】
2008177272.tif 000005
【図４】
2008177272.tif 000006
【図５】
2008177272.tif 000007
【図６】
2008177272.tif 000008
【図７】
2008177272.tif 000009
【図８】
2008177272.tif 000010
【図９】
2008177272.tif 000011